【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
基体と、フルオロポリマーを含む外側層と、前記外側層の上の剥離剤材料被膜とを含む定着器部材であって、
前記剥離剤材料被膜が、以下の化学式ＩＩで表されるメルカプト官能性剥離剤と以下の化学式Ｉで表されるフッ素化シリコーン剥離剤とを含む混合物を含む定着器部材。
【化１】
2006221179.tif 000001
（式中、Ａは−Ｒ4−Ｘを表し、Ｒ4は１〜１０の炭素を有するアルキル基を表し、Ｘは−ＳＨを表し、Ｒ1およびＲ2は同一であっても異なってもよく、それぞれ１〜２５の炭素を有するアルキル基と、４〜１０の炭素を有するアリール基と、アリールアルキル基とからなる群から選択され、Ｒ3は１〜２５の炭素を有するアルキル基と、４〜１０の炭素を有するアリール基と、アリールアルキル基と、１〜５００のシロキサン単位を有する、置換されたジオルガノシロキサン鎖とからなる群から選択され、ｂおよびｃは数値であって同一であっても異なってもよく、それぞれが１≦ｂ≦１０と１０≦ｃ≦１，０００の条件を満たし、ｄおよびｄ’は数値であって同一であっても異なってもよいが、２または３であり、ｅおよびｅ’は数値であって同一であっても異なってもよいが、０または１であり、ｄ＋ｅ＝３およびｄ’＋ｅ’＝３の条件を満たす。）
【化２】
2006221179.tif 000002
（式中、ｍは０〜２５の数値であり、ｎは１〜２５の数値であり、ｘ／（ｘ＋ｙ）は０．０１〜１であり、Ｒ1およびＲ2はアルキル基、アリール基、アリールアルキル基およびアルキルアミノ基からなる群から選択され、Ｒ3はアルキル基、アリール基、アリールアルキル基、アルキルアミノ基、ポリオルガノシロキサン基および化学式−（ＣＨ2）o−（ＣＦ2）p−ＣＦ3のフルオロ鎖（ｏは０〜２５の数値で、ｐは１〜２５の数値である）からなる群から選択される。）
【請求項２】
前記化学式Ｉにおいてｐが４〜１５の数値である、請求項１に記載の定着器部材。
【請求項３】
前記化学式Ｉにおいてｐが５〜１０の数値である、請求項２に記載の定着器部材。
【請求項４】
前記フッ素化シリコーン剥離剤がトリデカフルオロオクタン官能基を有する、請求項１に記載の定着器部材。
【請求項５】
前記トリデカフルオロオクタン官能基が、３，３，４，４，５，５，６，６，７，７，８，８，８−トリデカフルオロオクタン官能基である、請求項４に記載の定着器部材。
【請求項６】
ｍが１〜１５の数値である、請求項１に記載の定着器部材。
【請求項７】
ｎが１〜１５の数値である、請求項１に記載の定着器部材。
【請求項８】
ｘ／（ｘ＋ｙ）が０．０２〜０．８である、請求項１に記載の定着器部材。
【請求項９】
ｏが１〜１５の数値である、請求項１に記載の定着器部材。
【請求項１０】
前記フルオロポリマーが、ａ）フッ化ビニリデン、ヘキサフルオロプロピレンおよびテトラフルオロエチレンのうちの２つのコポリマー、ｂ）フッ化ビニリデン、ヘキサフルオロプロピレンおよびテトラフルオロエチレンのターポリマーおよびｃ）フッ化ビニリデン、ヘキサフルオロプロピレン、テトラフルオロエチレンおよび硬化部位モノマーのテトラポリマーからなる群から選択されるフルオロエラストマーである、請求項１に記載の定着器部材。
【請求項１１】
前記フルオロエラストマーが、３５重量パーセントのフッ化ビニリデンと、３４重量パーセントのヘキサフルオロプロピレンと、２９重量パーセントのテトラフルオロエチレンと、２重量パーセントの硬化部位モノマーと、を含む、請求項１０に記載の定着器部材。
【請求項１２】
前記フルオロポリマーが、ポリテトラフルオロエチレン、フッ素化エチレンプロピレンコポリマー、ポリフルオロアルコキシポリテトラフルオロエチレン、エチレンクロロトリフルオロエチレン、エチレンテトラフルオロエチレン、ポリテトラフルオロエチレンペルフルオロメチルビニルエーテルコポリマー、およびこれらの混合物からなる群から選択される、請求項１に記載の定着器部材。
【請求項１３】
前記混合物が、前記化学式ＩＩで表されるメルカプト官能性剥離剤を１〜１５重量パーセントの量で含む、請求項１に記載の定着器部材。
【請求項１４】
前記混合物が、前記化学式Ｉで表されるフッ素化シリコーン剥離剤を８５〜９９重量パーセントの量で含む、請求項１に記載の定着器部材。
【請求項１５】
さらに中間層を前記基体および外側層の間に含む、請求項１に記載の定着器部材。
【請求項１６】
前記中間層がシリコーンゴムを含む、請求項１５に記載の定着器部材。
【請求項１７】
基体と、フルオロポリマーを含む外側層と、前記外側層の上の剥離剤材料被膜とを含む定着器部材であって、
前記フルオロポリマーが、ａ）フッ化ビニリデン、ヘキサフルオロプロピレンおよびテトラフルオロエチレンのうちの２つのコポリマー、ｂ）フッ化ビニリデン、ヘキサフルオロプロピレンおよびテトラフルオロエチレンのターポリマーおよびｃ）フッ化ビニリデン、ヘキサフルオロプロピレン、テトラフルオロエチレンおよび硬化部位モノマーのテトラポリマーからなる群から選択されるフルオロエラストマーであり、
前記剥離剤材料被膜が、以下の化学式ＩＩで表されるメルカプト官能性剥離剤と以下の化学式Ｉで表されるフッ素化シリコーン剥離剤とを含む混合物を含む定着器部材。
【化３】
2006221179.tif 000003
（式中、Ａは−Ｒ4−Ｘを表し、Ｒ4は１〜１０の炭素を有するアルキル基を表し、Ｘは−ＳＨを表し、Ｒ1およびＲ2は同一であっても異なってもよく、それぞれ１〜２５の炭素を有するアルキル基と、４〜１０の炭素を有するアリール基と、アリールアルキル基とからなる群から選択され、Ｒ3は１〜２５の炭素を有するアルキル基と、４〜１０の炭素を有するアリール基と、アリールアルキル基と、１〜５００のシロキサン単位を有する、置換されたジオルガノシロキサン鎖とからなる群から選択され、ｂおよびｃは数値であって同一であっても異なってもよく、それぞれが１≦ｂ≦１０と１０≦ｃ≦１，０００の条件を満たし、ｄおよびｄ’は数値であって同一であっても異なってもよいが、２または３であり、ｅおよびｅ’は数値であって同一であっても異なってもよいが、０または１であり、ｄ＋ｅ＝３およびｄ’＋ｅ’＝３の条件を満たす。）
【化４】
2006221179.tif 000004
（式中、ｍは０〜２５の数値であり、ｎは１〜２５の数値であり、ｘ／（ｘ＋ｙ）は０．０１〜１であり、Ｒ1およびＲ2はアルキル基、アリール基、アリールアルキル基およびアルキルアミノ基からなる群から選択され、Ｒ3はアルキル基、アリール基、アリールアルキル基、アルキルアミノ基、ポリオルガノシロキサン基および化学式−（ＣＨ2）o−（ＣＦ2）p−ＣＦ3のフルオロ鎖（ｏは０〜２５の数値で、ｐは１〜２５の数値である）からなる群から選択される。）
【請求項１８】
静電潜像を受け取る電荷保持面と、電荷保持面に現像剤材料を供給して静電潜像を現像し、現像像を電荷保持面に形成する現像要素と、現像像を電荷保持面から複写基体に転写する転写要素と、複写基体に転写された現像像を定着する定着器部材要素とを備えた記録媒体上に像を形成する画像形成装置であって、定着器部材が、ａ）基体と、ｂ）フルオロポリマーを含む外側層と、外側層上の剥離剤材料被膜とを含み、剥離剤材料被膜が、以下の化学式ＩＩで表されるメルカプト官能性剥離剤と以下の化学式Ｉで表されるフッ素化シリコーン剥離剤とを含む混合物を含む画像形成装置。
【化５】
2006221179.tif 000005
（式中、Ａは−Ｒ4−Ｘを表し、Ｒ4は１〜１０の炭素を有するアルキル基を表し、Ｘは−ＳＨを表し、Ｒ1およびＲ2は同一であっても異なってもよく、それぞれ１〜２５の炭素を有するアルキル基と、４〜１０の炭素を有するアリール基と、アリールアルキル基とからなる群から選択され、Ｒ3は１〜２５の炭素を有するアルキル基と、４〜１０の炭素を有するアリール基と、アリールアルキル基と、１〜５００のシロキサン単位を有する、置換されたジオルガノシロキサン鎖とからなる群から選択され、ｂおよびｃは数値であって同一であっても異なってもよく、それぞれが１≦ｂ≦１０と１０≦ｃ≦１，０００の条件を満たし、ｄおよびｄ’は数値であって同一であっても異なってもよいが、２または３であり、ｅおよびｅ’は数値であって同一であっても異なってもよいが、０または１であり、ｄ＋ｅ＝３およびｄ’＋ｅ’＝３の条件を満たす。）
【化６】
2006221179.tif 000006
（式中、ｍは０〜２５の数値であり、ｎは１〜２５の数値であり、ｘ／（ｘ＋ｙ）は０．０１〜１であり、Ｒ1およびＲ2はアルキル基、アリール基、アリールアルキル基およびアルキルアミノ基からなる群から選択され、Ｒ3はアルキル基、アリール基、アリールアルキル基、アルキルアミノ基、ポリオルガノシロキサン基および化学式−（ＣＨ2）o−（ＣＦ2）p−ＣＦ3のフルオロ鎖（ｏは０〜２５の数値で、ｐは１〜２５の数値である）からなる群から選択される。）